(57)【要約】【課題】簡易な構造で、作業性、特に商品陳列などの多数の上衣を掛け吊す場合の作業性を飛躍的に高めることができる。【解決手段】左右方向に延び上衣Ｃの肩部が掛けられる左右一対のアーム部３と、一対のアーム部３の間にアーム部３に対して上方に突出して上衣Ｃの首穴Ｃ２に挿通されるヘッド部５と、アーム部３のいずれか一方３ａの先端部に連設されアーム部３及びヘッド部５を支持する支持部７とを備え、他方のアーム部３ｂの先端部からヘッド部５を通って支持部７に至るまで、上衣Ｃにおいて腕が挿通される袖Ｃ１が非伸長状態で挿通可能に構成されている。【選択図】図１
2016214714.tif 000002
【特許請求の範囲】
【請求項１】
上衣を掛け吊し可能な上衣用ハンガーにおいて、
左右方向に延び前記上衣の肩部が掛けられる左右一対のアーム部と、
前記一対のアーム部の間に当該アーム部に対して上方に突出して前記上衣の首穴に挿通されるヘッド部と、
前記アーム部のいずれか一方の先端部に連設され前記アーム部及びヘッド部を支持する支持部とを備え、
前記アーム部のいずれか他方の先端部から前記ヘッド部を通って前記支持部に至るまで、前記上衣において腕が挿通される腕用挿通穴が非伸長状態で挿通可能に構成されていることを特徴とする上衣用ハンガー。
【請求項２】
前記ハンガーは、線材及び板材の少なくとも一方から構成され、
前記各アーム部、ヘッド部及び支持部は、前記上衣の挿通方向に直交する高さ寸法が前記上衣の袖口巾よりも小さく設定されていることを特徴とする請求項１記載の上衣用ハンガー。
【請求項３】
前記アーム部が接続された接続部の下端からの前記ヘッド部の突出量は、前記上衣の袖口巾よりも小さく設定されていることを特徴とする請求項２記載の上衣用ハンガー。
【請求項４】
前記他方のアーム部は、先端に曲面で構成された上衣ガイド部が設けられていることを特徴とする請求項１ないし請求項３のいずれか１項に記載の上衣用ハンガー。
【請求項５】
前記支持部は、前記上衣の袖丈以上の長さに設定されていることを特徴とする請求項１ないし請求項４記載の上衣用ハンガー。
【請求項６】
前記支持部が取り付けられるハンガー取付部をさらに備え、
このハンガー取付部は、前記支持部を鉛直軸周りに回転自在に取り付けることを特徴とする請求項１ないし請求項５記載の上衣用ハンガー。
【発明の詳細な説明】
【技術分野】
【０００１】
本発明は、Ｔシャツ、ポロシャツ、タンクトップシャツ、長袖シャツなどの上衣を掛け吊すハンガーに関し、特にＴシャツやポロシャツなど前面非開放の上衣を掛け吊すのに適したハンガーに関するものである。
【背景技術】
【０００２】
この種のハンガーとしては、例えば上衣の両肩部に沿うように構成された左右一対のアーム部と、これらのアーム部の間に上方突出状に設けられたフック部とを備え、このフック部がハンガーラックなどのバーに引っ掛けられることにより上衣を掛け吊すものが広く知られている。
【０００３】
このようなハンガーにＴシャツなどの上衣を掛け吊す場合には、ハンガーをバーから取り外した上で、Ｔシャツの首穴から一方のアーム部を差し込み、この差し込んだアーム側の襟ぐりを十分にフック部にたぐり寄せてから、首穴を伸長させつつ、他方のアーム部を首穴に挿通させて、Ｔシャツの両肩部が各アーム部に掛けられるように形を整えることにより行われている。
【０００４】
このような掛け吊し方では、Ｔシャツの首穴が拡がり、弛んでしまう虞があるので、陳列商品等、上衣を傷めないように掛け吊す場合には、ハンガーをＴシャツの裾から差し込み、各アーム部をＴシャツの両肩部に掛け、フック部を首穴から出すように掛け吊すことも行われていた。
【０００５】
しかしながら、このような掛け吊し方では、上衣の傷み防止になるものの、わざわざＴシャツの裾からハンガーを差し込まなければならず、手間と時間が掛かり、特に多数の陳列商品を掛け吊す場合はその手間や時間が多大なものになるという不具合が生じる。
【０００６】
そこで、これらの問題を解消するめに、左右一対のアーム部が開閉可能に構成されたハンガーが多数提案されている。
【０００７】
例えば、特許文献１に記載のハンガーは、ヒンジ部を介して開閉可能に構成された左右一対のアーム部と、前記ヒンジ部の上方に形成された吊り具部と、両アーム部を開状態で保持する開状態保持手段とを備え、各アーム部の先端間隔を上衣の襟天幅よりも狭くした閉状態で、両アーム部を上衣の首穴から差し込み、これらの両アーム部を前記開状態保持手段によって開状態に復帰させてＴシャツを掛け吊すものとなされている。
【先行技術文献】
【特許文献】
【０００８】
【特許文献１】特開２００６−２１８２７８号公報
【発明の概要】
【発明が解決しようとする課題】
【０００９】
しかしながら、前記開閉式ハンガーは、上衣の傷みが防止されるとともに作業性が一部改善されているものの、ヒンジ部や開状態保持手段など、構造が複雑になるばかりか、部品点数が多くなり、コスト面で懸念されるものであった。
【００１０】
しかも、開閉式ハンガーは、開閉不能な一般的なハンガーに比べて、前記したように、上衣の掛け吊しの作業性が一部改善されているものの、掛け吊し作業毎にハンガーをバーから取り外さなければならず、その上、ハンガーの開閉作業を強いられる点で、必ずしも作業性で十分な改善が図られているとは言い難いものであった。
【００１１】
本発明は、前記従来の問題点に鑑みてなされたものであり、簡易な構造で、作業性、特に商品陳列などの多数の上衣を掛け吊す場合の作業性を飛躍的に高めることができる上衣用ハンガーを提供することを目的としている。
【課題を解決するための手段】
【００１２】
前記課題を解決するために、この発明の上衣用ハンガーは、上衣を掛け吊し可能な上衣用ハンガーにおいて、左右方向に延び前記上衣の肩部が掛けられる左右一対のアーム部と、前記一対のアーム部の間に当該アーム部に対して上方に突出して前記上衣の首穴に挿通されるヘッド部と、前記アーム部のいずれか一方の先端部に連設され前記アーム部及びヘッド部を支持する支持部とを備え、前記アーム部のいずれか他方の先端部から前記ヘッド部を通って前記支持部に至るまで、前記上衣において腕が挿通される腕用挿通穴が非伸長状態で挿通可能に構成されていることを特徴とするものである。
【００１３】
この発明によれば、前記アーム部のいずれか他方の先端部から前記ヘッド部を通って前記支持部に至るまで、前記上衣において腕が挿通される腕用挿通穴が非伸長状態で挿通可能に構成されているので、上衣の袖口などの腕用挿通穴に、他方のアーム部の先端部を差し込み、各アーム部において専ら左右方向に挿通させるだけで、腕用挿通穴を伸長させることなく、上衣をハンガーに掛け吊すことができ、掛け吊しの際の作業性を大幅に改善することができる。また、上衣の掛け吊し状態では、上衣の首穴にヘッド部が挿通されるので、上衣が左右方向にずれて掛け吊し状態が解除されることを効果的に抑制することができる。
【００１４】
しかも、アーム部及びヘッド部を支持する支持部が、アーム部のいずれか一方の先端部に連設されているので、上衣を両アーム部及びヘッド部に通す場合に、従来のハンガーに備えられたフック部が邪魔になることもなく、簡単な構成で上衣を袖口などの腕用挿通穴から専ら一方向に沿って円滑に差し入れて、当該上衣を掛け吊すことが可能になる。
【００１５】
この発明において、ハンガーの具体的素材は、特に限定されるものではなく、棒材やブロック状体等、一定の厚みを有するものであっても良いが、線材及び板材の少なくとも一方から構成されるのが、棒材やブロック状体等から構成される場合に比べて、薄肉に構成できる点で好ましい。このように、薄肉で構成される場合には、前記各アーム部、ヘッド部及び支持部は、前記上衣の挿通方向に直交する高さ寸法が前記上衣の袖口巾よりも小さく設定されているのが好ましい。ここで、「上衣の挿通方向」とは、アーム部やヘッド部の高さ方向の中心を結ぶ中心線に沿う方向を言い、例えばハンガーが線材から構成される場合には、この線材の軸線に沿う方向を言う。
【００１６】
このように構成すれば、前記構成を有するハンガーを比較的簡易に製作することができるとともに、種々のサイズの上衣を掛け吊し可能か否か簡単に判別することができる。また、前記他方のアーム部（支持部が連設されていないアーム部）の先端部を上衣の袖口に非伸長状態で確実に挿入させることができ、Ｔシャツなど上衣を傷めることなく、迅速に上衣をハンガーに掛け吊すことができる。
【００１７】
この場合、前記アーム部が接続された接続部の下端から前記ヘッド部の突出量は、ヘッド部における上衣の挿通方向に直交する高さ寸法が上衣の袖口巾よりも小さく設定されていれば特に限定するものではなく、例えば上衣の袖口巾の２〜３倍などに設定されているものであっても良いが、前記突出量は、前記上衣の袖口巾よりも小さく設定されているのが好ましい。
【００１８】
このように構成すれば、掛け吊す上衣の袖口が他方のアーム部からヘッド部に差し掛かる場合に、ヘッド部の形状に沿って挿通方向を変更しなくても、他方のアーム部での挿通方向に沿ってそのまま上衣の袖口を移動させることができ、非伸長状態のまま上衣の袖口をヘッド部に差し入れることができる。このため、上衣を掛け吊す場合の作業性を一層向上させることができる。例えば、線材を上方に屈曲させてヘッド部が形成されている場合には、このヘッド部の前記突出量が上衣の袖口巾を超えている場合には、上衣の挿通方向を線材の屈曲角度に応じて変更しなければ上衣の袖口が伸長してしまい、上衣を傷める原因になるが、前記突出量が上衣の袖口巾よりも小さく設定されていれば、前記のように、挿通方向を略変更することなく、そのままヘッド部を袖口に差し入れることができる。
【００１９】
また、この発明において、前記他方のアーム部の具体的構造は特に限定するものではないが、前記他方のアーム部は、先端に曲面で構成された上衣ガイド部が設けられているのが好ましい。
【００２０】
このように構成すれば、他方のアーム部に上衣の袖口を差し入れる場合に差し入れ易いだけでなく、上衣をハンガーに差し入れていく場合に他方のアーム部の先端が上衣に引っ掛かることなく、円滑に差し入れることができ、作業性を一層改善することができる。
【００２１】
この発明において、前記支持部の具体的構造については、特に限定するものではなく、支持部の長さ寸法が、掛け吊される上衣の袖丈よりも短く設定されているものであっても良いが、前記支持部は前記上衣の袖丈以上の長さに設定されているのが好ましい。
【００２２】
このように構成すれば、掛け吊された上衣の袖が支持部において弛むことなく、見栄えが良いものとなる。なお、支持部の長さ寸法が上衣の袖丈よりも短い場合には、支持部の基端部に外方に突出するフランジ部を設けるのが、上衣の袖が支持部の基端部との接触を避ける観点から好ましい。
【００２３】
この発明において、前記支持部の具体的取付構造については、特に限定されるものではなく、スタンドや桟に着脱自在または溶接など固定的に接合されているものであっても良いが、前記支持部が取り付けられるハンガー取付部をさらに備え、このハンガー取付部は、前記支持部を鉛直軸周りに回転自在に取り付けるのが好ましい。なお、ここでいう「鉛直軸周り」は厳密な意味ではなく、略鉛直軸周りも含む概念である。
【００２４】
このように構成すれば、このハンガーを用いて上衣の陳列などする場合に、ハンガー取付部に対して支持部を回動させるだけで、上衣の前面及び背面を確認することができ、簡単に上衣の表裏両面のデザインを確認することができる。しかも、上衣を掛け吊す場合に、支持部が回動するので、他方のアーム部の先端が上衣に引っ掛かることを効果的に抑制することができる。
【発明の効果】
【００２５】
本発明の上衣用ハンガーによれば、簡易な構成で、上衣の袖口などの腕用挿通穴に、アーム部のいずれか他方の先端部を差し込み、専ら上衣を左右方向に挿通させるだけでハンガーに掛け吊すことができ、掛け吊しの際の作業性を大幅に改善することができ、上衣の掛け吊し状態においても上衣が左右方向にずれて掛け吊し状態が解除されることを効果的に抑制することができる。
【図面の簡単な説明】
【００２６】
【図１】本発明の一実施形態に係る上衣用ハンガーを示す正面図である。
【図２】同ハンガーの側面図である。
【図３】同ハンガーを分解した状態で示す正面図である。
【図４】同ハンガーのハンガー取付部を示し、（ａ）は正面図であり、（ｂ）は側面図である。
【図５】同ハンガーのハンガー取付部を示す斜視図である。
【図６】同ハンガーの使用方法を示す説明図である。
【図７】本発明の他の実施形態に係る上衣用ハンガーを示す正面図である。
【図８】本発明のさらに別の実施形態に係る上衣用ハンガーを示す正面図である。
【発明を実施するための形態】
【００２７】
以下、本発明に係る一実施形態を図面に基づいて説明する。なお、本実施形態の上衣用ハンガーは、Ｔシャツを掛け吊すものとして説明するが、衣服のうち上半身に着る上衣であれば掛け吊す衣類の種類について特に限定するものではない。すなわち、本発明に係る上衣用ハンガーは、例えば、Ｔシャツ以外のポロシャツなどの前面非開放型の半袖シャツ、前面開放型の半袖シャツ、タンクトップなどの袖無しシャツ、トレーナーなどの長袖シャツについても掛け吊すことができる。
【００２８】
また、掛け吊す上衣のサイズについても、特に限定するものではない。この場合、上衣用ハンガーについて、上衣のサイズ（男性用、女性用、子供用なども含めて）に応じて大きさを変更するものであってもよいが、本実施形態では、フリーサイズのＴシャツを掛け吊すことを念頭に製作されている。また、この上衣用ハンガーの用途も特に限定するものではなく、洗濯物を吊す目的、衣類を保管する目的等であっても良いが、本実施形態では商品陳列に用いることを目的としている。
【００２９】
図１は本実施形態に係る上衣用ハンガー（以下単に「ハンガー」という）を示す正面図であり、図２は同ハンガーの側面図である。また、図３は、ハンガーを分解した状態で示す正面図である。
【００３０】
本実施形態におけるハンガー１は、ＴシャツＣを掛け吊した状態で陳列するために用いられる。このハンガー１は、ＴシャツＣの肩部が掛けられる左右一対のアーム部３と、この一対のアーム部３の間にアーム部３に対して上方に突出したヘッド部５と、一対のアーム部３のうち一方のアーム部３ａの先端部に連設された支持部７と、支持部７の基端部を保持するハンガー取付部９とを備え、本実施形態ではアーム部３、ヘッド部５及び支持部７（以下、これらを総称して「ハンガー本体」という場合がある）が一本の断面略円形の金属製線材を折り曲げることにより構成されている。この線材は、ＴシャツＣを掛け吊すために十分な強度及び寸法を有し、本実施形態では直径７ｍｍのアルミニウム合金からなる。この線材の素材は、アルミニウム合金に限られず、ステンレス鋼などの金属素材、合成樹脂、木材など公知の素材を単体または複合して用いるものであっても良い。また、線材の直径は、１０ｍｍ以下であるのが好ましい。
【００３１】
このハンガー１は、詳細は後述するが、ＴシャツＣの一方側の袖口を、支持部７が連設されていない他方のアーム部３ｂの先端から差し入れ、袖Ｃ１を移動させることにより、この袖口に順次ヘッド部５、一方のアーム部３ａ、支持部７を挿入することにより掛け吊すものである。この場合、ＴシャツＣの挿通方向は、ハンガー１の上下高さ方向の中心を結ぶ中心線Ｄに沿う方向と定義するが、実際の挿通方向は、ＴシャツＣが非伸長状態で袖口から挿入可能であれば特に限定するものではなく、本実施形態のハンガー１では略左右方向とすることができる。
【００３２】
アーム部３は、左右方向に延び、ＴシャツＣの肩部に対応するように寸法設定されている。具体的には、各アーム部３は、ＴシャツＣの肩部に沿うように、ハンガー１の幅方向中央側に向かって上方に傾斜するように構成されている。このアーム部３の傾斜方向に沿ってＴシャツＣの袖Ｃ１が移動されるが、傾斜方向に直交する高さ寸法は、後述するシャツガイド部３１を除き、前記線材の直径に相当し、ＴシャツＣの袖口巾Ｗｃよりも小さく設定されている。
【００３３】
アーム部３のうち、支持部７が連設されていない他方のアーム部３ｂは、先端部に円弧状に湾曲形成されたシャツガイド部３１を有する。このシャツガイド部３１は、掛け吊されるＴシャツＣの挿入を円滑にするためのものであり、具体的にはアーム部３を構成する線材が、前後に軸線を有する略円形状に湾曲されることにより形成されている。このシャツガイド部３１の高さ（挿通方向に直交する最大寸法Ｈ１）は、ＴシャツＣの袖口巾Ｗｃよりも小さく設定されている。本実施形態では、シャツガイド部３１は、その最大高さがヘッド部５の突出量と略同等に構成され、他方のアーム部３ｂの先端部下方に配置されている。
【００３４】
各アーム部３の中央側端部には、ヘッド部５が連設されている。このヘッド部５は、ＴシャツＣの首穴Ｃ２が挿通されるものである。ヘッド部５は、アーム部３から延びる線材を上方に山型状に折り曲げることにより構成され、アーム部３に対して上方に突出した状態になっているとともに、底部も上方に屈曲した状態になっている。このため、ヘッド部５の挿通方向に直交する高さ寸法は、前記線材の径に対応したものとなっている。
【００３５】
具体的には、ヘッド部５は、線材を折り曲げることにより構成され、左右方向に延びる頂部５１と、この頂部５１の左右両端部から外側に向かって斜め下方に垂下する立ち上がり部５２とを有し、立ち上がり部５２の下端部がアーム部３の基端部（ハンガー幅方向の中央側端部）に接続されている。このアーム部３が接続される立ち上がり部５２の下端部は、接続部５３として下側に突出する湾曲部として構成され、掛け吊されるＴシャツＣがアーム部３からヘッド部５にスムーズに移行するものとなされている。
【００３６】
接続部５３の下端からのヘッド部５の突出量Ｈ２（図３参照）は、ＴシャツＣの袖口巾Ｗｃよりも小さく設定されている。また、左右の接続部５３間の距離は、ＴシャツＣの首穴Ｃ２が挿通されるように、ＴシャツＣの天巾Ｗｎよりも短く設定されている。
【００３７】
一方のアーム部３ａの先端には、支持部７が連設されている。この支持部７は、各アーム部３ａ及びヘッド部５を支持するものである。具体的には、支持部７は、鉛直方向に対して傾斜して延びる支持本体部７１と、支持本体部７１の下端部に鉛直方向に延びる回動軸部７２とを有し、この回動軸部７２がハンガー取付部９に回転自在に取り付けられることにより鉛直軸周りに回転可能に構成されている。
【００３８】
支持本体部７１は、一方のアーム部３ａに対して鈍角αとなる方向に延びる。この支持本体部７１は、ＴシャツＣの袖丈の長さ以上に設定され、この袖口が回動軸部７２に触れないように設定されている。この支持本体部７１は、延設方向に沿ってＴシャツの袖口が挿通され、この挿通方向に直交する高さ寸法は、線材の径に対応し、Ｔシャツの袖口巾よりも小さく設定されている。
【００３９】
このように、アーム部３、ヘッド部５及び支持部７を有するハンガー本体は、いずれの部位においても挿通方向に直交する高さ寸法がＴシャツの袖口巾Ｗｃよりも小さく設定されているので、他方のアーム部３ｂの先端部からヘッド部５を通って支持本体部７１に至るまで、ＴシャツＣにおいて腕が挿通される袖Ｃ１（具体的には最小腕用挿通穴を有する袖口）が非伸長状態で挿通可能に構成されている。
【００４０】
一方、ハンガー取付部９は、桟などのバーＢに取り付けられる取付ベース部９１と、この取付ベース部９１の側面に固定される軸保持部９２と、取付ベース部９１と協働して当該取付ベース部９１をバーＢに固定するベース固定部９３とを備え、アーム部３、ヘッド部５及び支持部７を有するハンガー本体を鉛直軸周りに回動自在に支持する。本実施形態では、ハンガー取付部９は、建物などに固定された陳列用バーＢにこのハンガー本体３，５，７を取り付けるものとなされている。
【００４１】
図４はハンガー取付部９を示す正面図（図ａ）及び側面図（図ｂ）であり、図５はハンガー取付部９を示す斜視図である。
【００４２】
取付ベース部９１は、バーＢに掛止するためのものであり、左右一方向に開口する正面視略鈎状形状を呈する。具体的には、取付ベース部９１は、バーＢの一側面に沿って上下に延びる主壁部９１ａと、この主壁部９１ａの上端部からバーＢの上面に沿って左右に延びる天壁部９１ｂと、主壁部９１ａの下端部から左右に延びるとともにバーＢの下面から離間して配置される底壁部９１ｃと、天壁部９１ｂの先端から下方に延びるとともにバーＢの他側面に沿って上下に延びる係合壁部９１ｄとを備え、図４（ａ）の状態では、左方に開口する鈎状に構成され、この開口を通じてバーＢに取り付けられるものとなされている。
【００４３】
主壁部９１ａは、外側面に軸保持部９２が取り付けられるとともに、天壁部９１ｂと底壁部９１ｃとを連結するものであり、両者９１ｂ，ｃ間の間隔を所定の間隔に維持する。すなわち、主壁部９１ａは、係合壁部９１ｄの下端と底壁部９１ｃの上面との間にバーＢが挿通可能になるように高さ寸法が設定され、例えばバーＢの高さ寸法に係合壁部９１ｄの高さ寸法を加えた寸法よりも若干長く設定される。
【００４４】
天壁部９１ｂは、主壁部９１ａの上端から左右水平方向に延び、左右長さ寸法がバーＢの幅寸法に応じて設定される。底壁部９１ｃは、天壁部９１ｂと平行に延び、中央にベース固定部９３であるねじ軸が螺合されるねじ穴９１ｅが上下に貫設されている。係合壁部９１ｄは、天壁部９１ｂの先端部から上下鉛直方向に延び、バーＢの他側面に当接するものである。
【００４５】
軸保持部９２は、支持部７の回動軸部７２を回動可能に保持するものであり、本実施形態では上下方向の軸線を有する中空円筒状形状を呈する。この軸保持部９２は、本実施形態では上下方向に貫通する軸穴を有し、この軸穴に回動軸部７２が挿入されることにより、回動軸部７２を回動可能に保持している。この軸保持部９２は、支持部７の回動軸部７２よりも短く寸法設定されている。また、軸保持部９２の軸穴には、その下端部に支持部７の回動軸部７２と干渉して回動軸部７２が軸穴に貫通状態に挿通されないように軸挿通制限部９２ａが設けられている。すなわち、この軸挿通制限部９２ａは、軸穴側に突出して軸穴を少なくとも一部において閉塞している。この軸挿通制限部９２ａは、本実施形態では溶接痕により構成されている。
【００４６】
なお、この軸保持部９２の形状は、本実施形態のものに限られず、単なる筒状、或いは有底筒状等、その他、軸を回動可能に保持するための公知の形状を採用するものであっても良い。また、本実施形態の軸保持部９２は、取付ベース部９１に対して単一個のものが取り付けられているが、前後方向に所定間隔を隔てて複数個設けるものであっても良い。なお、この場合、取付ベース部９１は前後方向に長尺に形成される。
【００４７】
取付ベース部９１に単一の軸保持部９２が取り付けられている場合には、各取付ベース部９１同士の間隔を調整することにより、軸保持部９２の間隔を調整することができる点で有利である。一方、取付ベース部９１に複数の軸保持部９２が取り付けられている場合には、単一の取付ベース部９１をバーＢに取り付けるだけで複数の軸保持部９２を取り付けることができ、取付の際の利便性が向上するという点で有利である。
【００４８】
ベース固定部９３は、取付ベース部９１をバーＢに固定するためのものであり、本実施形態では、ボルトによって構成されている。具体的には、ベース固定部９３は、頭部と軸部とを有するボルトから構成され、軸部が底壁部９１ｃのねじ穴９１ｅに螺合される。また、軸部は、その先端がバーＢの下面に当接可能な長さに設定されている。
【００４９】
以上のように構成された本実施形態に係るハンガー１は、例えば以下のように組み立てられる。
【００５０】
まず、ハンガー取付部９をバーＢに取り付ける。具体的には、取付ベース部９１における底壁部９１ｃと係合壁部９１ｄとの間の開口を通じてバーＢを挿入し、このバーＢの一側面と主壁部９１ａの内面とを当接させ、続いてバーＢの天面と天壁部９１ｂの裏面とを重ね合わせる。これにより、取付ベース部９１における係合壁部９１ｄがバーＢの他側面に当接した状態となり、この取付ベース部９１がバーＢに掛止される。この状態から、ベース固定部９３の軸部先端がバーＢの底面に圧接される状態まで、ベース固定部９３をねじ穴９１ｅに螺入すると、ハンガー取付部９をバーＢに固定することができる。
【００５１】
続いて、このハンガー取付部９の軸保持部９２の軸穴に、上方から支持部７の回動軸部７２を挿入すると、回動軸部７２の先端が軸挿通制限部９２ａに当接し、これにより支持部７がハンガー取付部９に鉛直軸周りに回動可能に取り付けられる。
【００５２】
このようにして組み立てられたハンガー１にＴシャツＣを掛け吊す場合には、例えば次のようにして行う。図６は、このハンガー１に対するＴシャツＣの掛け吊し方法を説明する説明図である。
【００５３】
袖口を広げた状態でＴシャツＣの袖Ｃ１を把持し、図６（ａ）に示すように、この袖口を通じて袖Ｃ１を他方のアーム部３ｂ先端におけるシャツガイド部３１に通し、中心線Ｄに沿う方向、すなわち略左右方向（図例では左方）に移動させる。このとき、シャツガイド部３１を含めた他方のアーム部３ｂの挿通方向に対する高さ寸法は、袖口巾Ｗｃよりも小さいことから、ＴシャツＣの袖Ｃ１を非伸長状態で他方のアーム部３ｂに通して移動させることができる。
【００５４】
また、この際、他方のアーム部３ｂは、先端に円弧状に構成されたシャツガイド部３１が設けられているので、他方のアーム部３ｂにＴシャツＣの袖口を差し入れる場合に差し入れ易いだけでなく、移動にあたっても他方のアーム部３ｂの先端がＴシャツＣに引っ掛かることなく、円滑に移動させることができ、掛け吊しの際の作業性を改善することができる。
【００５５】
ＴシャツＣの袖口が他方のアーム部３ｂからヘッド部５に差し掛かった場合には、ヘッド部５の突出量によってはヘッド部５の形状（具体的にはヘッド部５における中心線Ｄ）に沿って挿通方向を屈曲させなければならないが、本実施形態のハンガー１では、接続部５３の下端からのヘッド部５の突出量Ｈ２がＴシャツＣの袖口巾Ｗｃよりも小さく設定されているので、ヘッド部５の形状に沿ってＴシャツＣの袖Ｃ１の挿通方向を変更しなくても、図６（ｂ）に示すように、袖Ｃ１を若干上方に持ち上げてそのまま左方に移動させることができ、この際に袖Ｃ１（具体的には袖Ｃ１の最小寸法になる袖口）が上下に伸長されることもない。このため、ＴシャツＣをハンガー１に差し入れる際に挿通方向を大幅に変更させる必要がなく、その作業性を一層向上させることができる。
【００５６】
そして、そのまま袖Ｃ１を左方に移動させると、他方のアーム部３ｂと同様に、一方のアーム部３ａも、袖口を伸長させることなく、挿通させることができる。続いて、一方のアーム部３ａから支持部７の支持本体部７１に差し掛かると、挿通方向が屈曲角度αに応じて下方寄りに変更させることになるが、袖Ｃ１が支持部７に差し掛かった場合には、そのまま袖Ｃ１から手を離せば重力により自然と袖Ｃ１が支持本体部７１に沿って落下することになる。
【００５７】
最後に、ハンガー１のヘッド部５がＴシャツＣの首穴Ｃ２に挿入されているか確認し、挿入されていない場合にはＴシャツＣの襟ぐりを保持してヘッド部５を首穴Ｃ２に挿入するとともに、ＴシャツＣの肩部が各アーム部３に位置させるように形を整える。
【００５８】
このように、本実施形態のハンガー１は、シャツガイド部３１からなる他方のアーム部３ｂの先端からヘッド部５を通って支持部７の支持本体部７１に至るまで、各部位の挿通方向に直交する高さ寸法が袖口巾Ｗｃよりも小さく設定され、言い換えればＴシャツＣの袖Ｃ１が非伸長状態で挿通可能に構成されている。このため、このハンガー１によれば、わざわざハンガー本体３，５，７をハンガー取付部９から取り外すことなく、ＴシャツＣの袖口に、シャツガイド部３１を差し込み、袖Ｃ１を専ら左右方向に移動させるだけで、袖Ｃ１を伸長させることなく、ＴシャツＣをハンガー１に掛け吊すことができ、掛け吊しの際の作業性を大幅に改善することができる。
【００５９】
また、ＴシャツＣの掛け吊し状態では、ＴシャツＣの首穴Ｃ２がアーム部３から上方に突出するヘッド部５に挿入されているので、ＴシャツＣが左右方向にずれて不測にハンガー１から脱落するような事態を効果的に抑制することができる。
【００６０】
しかも、アーム部３及びヘッド部５を支持する支持部７が、一方のアーム部３ａの先端部に連設されているので、ＴシャツＣを両アーム部３及びヘッド部５に通す場合に、従来のハンガーに備えられたフック部が邪魔になることもなく、簡単な構成でＴシャツＣを袖口から専ら一方向に沿って円滑に差し入れて掛け吊すことが可能になる。
【００６１】
また、本実施形態のアーム部３、ヘッド部５及び支持部７は、線材を屈曲して形成されているので、棒材やブロック状体から構成される場合に比べて、厚みを薄く形成することができる。このため、専らＴシャツＣの挿通方向に直交する高さ寸法がＴシャツＣの袖口巾Ｗｃよりも小さく設定することで、ハンガー本体をＴシャツＣの袖Ｃ１を非伸長状態で挿通させるように構成することができ、ＴシャツＣを傷めることなく、掛け吊すことができるハンガー１を簡易に構成することができる。
【００６２】
さらに、ハンガー取付部９に支持部７が鉛直軸周りに回転自在に取り付けられるので、このハンガー１を用いてＴシャツＣの陳列をする場合に、ハンガー取付部９に対して支持部７を回動させるだけで、ＴシャツＣの前面及び背面を確認することができ、簡単にＴシャツＣの表裏両面のデザインを確認することができる。しかも、ＴシャツＣを掛け吊す場合に、支持部７が回動するので、他方のアーム部３ｂの先端がＴシャツＣに引っ掛かることを効果的に抑制することができる。
【００６３】
なお、以上に説明したハンガー１は、本発明に係る上衣用ハンガーの一実施形態であり、その具体的構成等は、本発明の趣旨を逸脱しない範囲で適宜変更可能である。以下、その変形例を説明する。
【００６４】
（１）前記実施形態では、一対のアーム部３、ヘッド部５及び支持部７（ハンガー本体）が一本の線材を屈曲することに形成されているが、ハンガー本体の具体的構成についてはこれに限定するものではない。
【００６５】
ハンガー本体は、例えば図７に示すように、アーム部１３及びヘッド部１５が板状体で一体形成され、一方のアーム部１３ａの先端部において線材で構成された支持部７に接合されているものであっても良い。この場合でも、他方のアーム部１３ｂの先端からヘッド部５を通って支持部７に至るまで、各部位１３ｂ，１５，１３ａ，７における挿通方向に直交する高さ寸法が袖口巾Ｗｃよりも小さく設定され、言い換えればＴシャツＣの袖Ｃ１が非伸長状で挿通可能に構成されている。特に、ヘッド部１５においては、挿通方向に直交する高さ寸法が袖口巾Ｗｃを超えないように、底部１５４が上方に退入する湾曲部として構成されている。
【００６６】
このように、ハンガー本体の具体的構成は、他方のアーム部の先端からヘッド部を通って支持部に至るまで、シャツＣの袖Ｃ１が非伸長状で挿通可能に構成されていれば、棒状体、ブロック状体、板状体、線材を単体、或いはこれらを組み合わせて構成されていても良い。ただし、線材又は板状体を単体、或いはこれらを組み合わせて構成されれば、前記したように厚みを薄く形成することができ、簡易にＴシャツＣの袖Ｃ１を非伸長状態で挿通させるように構成することができるという点で有利である。
【００６７】
なお、棒状体、ブロック状体等、一定の厚み以上あるものを採用する場合には、前記挿通方向に直交する高さ寸法に加え、厚み寸法も考慮して、ハンガー本体における上衣に挿通される挿通面積（前記挿通方向に直交する断面における最外周部を結んだ線の内部面積）が上衣における腕用挿通穴の開口面積よりも小さくなるように設定される。
【００６８】
（２）また、前記実施形態では、アーム部３が接続された接続部５３の下端からのヘッド部５の突出量Ｈ２は、ＴシャツＣの袖口巾Ｗｃよりも小さく設定されているが、この突出量については、ヘッド部においてＴシャツＣの挿通方向に直交する高さ寸法が袖口巾Ｗｃを超えなければ、図８に示すように、袖口巾Ｗｃ以上に設定することも可能である。
【００６９】
すなわち、図８に示すように、ハンガー２１は、前記実施形態と同様に、一本の線材を屈曲することにより形成され、各アーム部２３ａ、２３ｂが接続された接続部２５３の下端からのヘッド部２５の突出量Ｈ５は、袖口巾Ｗｃ以上に設定されている。この場合でも、ヘッド部２５の頂部２５１及び立ち上がり部２５２はいずれも線材で構成されているため、ヘッド部２５における挿通方向に直交する高さ寸法は、袖口巾Ｗｃを超えることがなく、ＴシャツＣを挿通させる場合には、この立ち上がり部２５２及び頂部２５１に沿ってＴシャツＣの挿通方向を屈曲させなければならないものの、袖Ｃ１を伸長させることなく、ハンガー２１に掛け吊すことが可能である。
【００７０】
（３）前記実施形態では、シャツガイド部３１は、線材を円弧状に折り曲げることにより構成されているが、本発明に係るシャツガイド部はこれに限定されるものではなく、他方のアーム部の先端面が球面、円弧面など、上衣の引っ掛かりを防止可能な曲面によって構成されていれば、その具体的構成は特に限定するものではない。
【００７１】
例えば、図７に示すように、ハンガー１１のシャツガイド部１３１は、他方のアーム部１３ｂの先端面により構成され、具体的には、正面視略半円状に構成されているとともに、平面視においても略半円状に構成され、Ｔシャツなどの上衣を挿通させる場合に引っ掛かりが抑制される。
【００７２】
或いは、図８に示すように、ハンガー２１のシャツガイド部２３１は、他方のアーム部２３ｂの先端に設けられた球体によって構成されても良く、この場合もＴシャツなどの上衣を挿通させる場合に引っ掛かりが抑制される。
【００７３】
（４）前記実施形態では、ハンガー取付部９は、桟に固定できるように構成されているが、本発明に係るハンガー取付部は、桟などの構造物に固定できるものに限らず、移動可能なものであっても良い。
【００７４】
例えば、図７に示すハンガー１１のハンガー取付部１９は、前記ハンガー取付部９と異なり、支持部７を保持するスタンド台として構成されている。すなわち、ハンガー取付部１９は、Ｔシャツが掛け吊されたアーム部１３、ヘッド部１５、支持部７を支持可能な重量、及び大きさを有して構成されている。このハンガー１１によれば、上記ハンガー１と同様の効果を奏するとともに、スタンド台からなるハンガー取付部１９を有するので、前記ハンガー１と異なり、自由に移動させることができる。
【００７５】
（５）前記実施形態では、一方のアーム部３ａの先端に支持部７が連設されているが、一方のアーム部３ａの先端部であれば先端に限定するものではない。
【符号の説明】
【００７６】
Ｃ  Ｔシャツ
Ｃ１  袖
Ｈ２  突出量
Ｗｃ  袖口巾
１  ハンガー
３  アーム部
３ａ  一方のアーム部
３ｂ  他方のアーム部
５  ヘッド部
７  支持部
９  ハンガー取付部
３１  シャツガイド部
５３  接続部
【図１】
2016214714.tif 000003
【図２】
2016214714.tif 000004
【図３】
2016214714.tif 000005
【図４】
2016214714.tif 000006
【図５】
2016214714.tif 000007
【図６】
2016214714.tif 000008
【図７】
2016214714.tif 000009
【図８】
2016214714.tif 000010